(57)【要約】【課題】多数の撮影画像を短時間で確認できるようにすること。【解決手段】撮影された撮影画像を記録した外部メモリ２７と、撮影画像を間引くスキップ数を決定するＣＰＵ２１と、上記ＣＰＵ２１により決定されたスキップ数に基づいて、上記外部メモリ２７に記録された撮影画像を間引いて読み出す画像処理回路１８と、１画面に、上記画像処理回路１８により読み出された複数の撮影画像を行列表示するＬＣＤ２４と、を備える。【選択図】      図１
2010035190.tif 000002
【特許請求の範囲】
【請求項１】
撮影された撮影画像を記録した記録媒体と、
撮影画像を間引くスキップ数を決定するスキップ数決定手段と、
上記スキップ数決定手段により決定されたスキップ数に基づいて、上記記録媒体に記録された撮影画像を間引いて読み出す読出手段と、
１画面に、上記読出手段により読み出された複数の撮影画像を行列表示する表示手段と、
を具備することを特徴とする表示装置。
【請求項２】
上記スキップ数決定手段は、ユーザ操作に応じて、上記撮影画像を間引くスキップ数を決定することを特徴とする請求項１に記載の表示装置。
【請求項３】
上記スキップ数決定手段は、上記記録媒体に記録されている撮影画像の総数に基づいて、上記撮影画像を間引くスキップ数を決定することを特徴とする請求項１に記載の表示装置。
【請求項４】
上記記録媒体に記録されている撮影画像の総数に基づいて、上記表示手段における行列表示の行列数を決定する表示行列数決定手段と、
上記記録媒体に記録されている撮影画像の総数に応じて、上記スキップ数決定手段による上記スキップ数の決定、及び／又は、上記表示行列数決定手段による上記行列数の決定を行わせる制御手段と、
を更に具備することを特徴とする請求項１に記載の表示装置。
【請求項５】
撮影された撮影画像を記録した記録媒体と、
上記記録媒体に記録されている撮影画像の総数に基づいて、１画面を分割する行列数を決定する行列数決定手段と、
上記記録媒体に記録された撮影画像を間引いて読み出す読出手段と、
上記読出手段により読み出された複数の撮影画像を、上記行列数決定手段によって決定された行列数に分割された表示画面に行列表示する表示手段と、
を具備することを特徴とする表示装置。
【請求項６】
上記記録媒体に記録されている撮影画像の総数に基づいて、上記撮影画像を間引くスキップ数を決定し、上記読出手段に上記記録媒体からその決定したスキップ数で間引いて撮影画像を読み出させるスキップ数決定手段と、
上記記録媒体に記録されている撮影画像の総数に応じて、上記スキップ数決定手段による上記スキップ数の決定、及び／又は、上記表示行列数決定手段による上記行列数の決定を行わせる制御手段と、
を更に具備することを特徴とする請求項５に記載の表示装置。
【請求項７】
請求項１乃至６の何れかに記載の表示装置と、
画像を撮影して、上記表示装置の記録媒体に記録する撮影手段と、
を具備することを特徴とする撮影装置。
【請求項８】
記録媒体に記録された撮影画像の表示制御方法であって、
撮影画像を間引くスキップ数を決定するスキップ数決定工程と、
上記スキップ数決定工程により決定されたスキップ数に基づいて、上記記録媒体に記録された撮影画像を間引いて読み出す読出工程と、
１画面に、上記読出工程により読み出された複数の撮影画像を行列表示する表示工程と、
を有することを特徴とする表示制御方法。
【請求項９】
記録媒体に記録された撮影画像の表示制御方法であって、
上記記録媒体に記録されている撮影画像の総数に基づいて、１画面を分割する行列数を決定する行列数決定工程と、
上記記録媒体に記録された撮影画像を間引いて読み出す読出工程と、
上記読出工程により読み出された複数の撮影画像を、上記行列数決定工程によって決定された行列数に分割された表示画面に行列表示する表示工程と、
を有することを特徴とする表示制御方法。
【請求項１０】
記録媒体に記録された撮影画像を表示する表示装置に内蔵されたコンピュータが実行するプログラムであって、
撮影画像を間引くスキップ数を決定するスキップ数決定ステップと、
上記スキップ数決定ステップにより決定されたスキップ数に基づいて、上記記録媒体に記録された撮影画像を間引いて読み出す読出ステップと、
１画面に、上記読出ステップにより読み出された複数の撮影画像を行列表示する表示ステップと、
をコンピュータに実行させることを特徴とするプログラム。
【請求項１１】
記録媒体に記録された撮影画像を表示する表示装置に内蔵されたコンピュータが実行するプログラムであって、
上記記録媒体に記録されている撮影画像の総数に基づいて、１画面を分割する行列数を決定する行列数決定ステップと、
上記記録媒体に記録された撮影画像を間引いて読み出す読出ステップと、
上記読出ステップにより読み出された複数の撮影画像を、上記行列数決定ステップによって決定された行列数に分割された表示画面に行列表示する表示ステップと、
をコンピュータに実行させることを特徴とするプログラム。
【発明の詳細な説明】
【技術分野】
【０００１】
本発明は、例えばデジタルカメラやカメラ機能付きの携帯電話機等に好適な表示装置、撮影装置、表示制御方法及びプログラムに関する。
【背景技術】
【０００２】
デジタルカメラ等において、撮影され記録媒体に記録された撮影画像を、液晶表示装置（ＬＣＤ）に再生表示する際、その表示画面を行列状に複数に分割して、各分割画面に異なる撮影画像の縮小画を表示することで、一覧性を高め、所望の撮影画像の検索を容易にする技術が利用されている（例えば、特許文献１参照）。
【先行技術文献】
【特許文献】
【０００３】
【特許文献１】特許第３５２８５７９号公報
【発明の概要】
【発明が解決しようとする課題】
【０００４】
しかしながら、そのような複数の撮影画像の行列状の表示を行ったとしても、記録媒体に記録されている撮影画像の数が多いと、やはり撮影画像の確認に時間がかかってしまうこととなる。
【０００５】
全ての撮影画像を確認したい場合には、そのように確認に時間がかかっても仕方がないが、例えば、３日間の旅行を振り返る目的で大雑把に撮影画像を確認したい場合などのように、限られた状況では、素早く撮影画像を確認できるほうが望ましいこともある。
【０００６】
本発明は上記のような実情に鑑みてなされたもので、その目的とするところは、多数の撮影画像を短時間で確認することが可能な表示装置、撮影装置、表示制御方法及びプログラムを提供することにある。
【課題を解決するための手段】
【０００７】
請求項１記載の発明は、撮影された撮影画像を記録した記録媒体と、撮影画像を間引くスキップ数を決定するスキップ数決定手段と、上記スキップ数決定手段により決定されたスキップ数に基づいて、上記記録媒体に記録された撮影画像を間引いて読み出す読出手段と、１画面に、上記読出手段により読み出された複数の撮影画像を行列表示する表示手段と、を具備することを特徴とする。
【０００８】
請求項２記載の発明は、上記請求項１記載の発明において、上記スキップ数決定手段は、ユーザ操作に応じて、上記撮影画像を間引くスキップ数を決定することを特徴とする。
【０００９】
請求項３記載の発明は、上記請求項１記載の発明において、上記スキップ数決定手段は、上記記録媒体に記録されている撮影画像の総数に基づいて、上記撮影画像を間引くスキップ数を決定することを特徴とする。
【００１０】
請求項４記載の発明は、上記請求項１記載の発明において、上記記録媒体に記録されている撮影画像の総数に基づいて、上記表示手段における行列表示の行列数を決定する表示行列数決定手段と、上記記録媒体に記録されている撮影画像の総数に応じて、上記スキップ数決定手段による上記スキップ数の決定、及び／又は、上記表示行列数決定手段による上記行列数の決定を行わせる制御手段と、を更に具備することを特徴とする。
【００１１】
請求項５記載の発明は、撮影された撮影画像を記録した記録媒体と、上記記録媒体に記録されている撮影画像の総数に基づいて、１画面を分割する行列数を決定する行列数決定手段と、上記記録媒体に記録された撮影画像を間引いて読み出す読出手段と、上記読出手段により読み出された複数の撮影画像を、上記行列数決定手段によって決定された行列数に分割された表示画面に行列表示する表示手段と、を具備することを特徴とする。
【００１２】
請求項６記載の発明は、上記請求項５記載の発明において、上記記録媒体に記録されている撮影画像の総数に基づいて、上記撮影画像を間引くスキップ数を決定し、上記読出手段に上記記録媒体からその決定したスキップ数で間引いて撮影画像を読み出させるスキップ数決定手段と、上記記録媒体に記録されている撮影画像の総数に応じて、上記スキップ数決定手段による上記スキップ数の決定、及び／又は、上記表示行列数決定手段による上記行列数の決定を行わせる制御手段と、を更に具備することを特徴とする。
【００１３】
請求項７記載の発明は、請求項１乃至６の何れかに記載の表示装置と、画像を撮影して、上記表示装置の記録媒体に記録する撮影手段と、を具備することを特徴とする。
【００１４】
請求項８記載の発明は、記録媒体に記録された撮影画像の表示制御方法であって、撮影画像を間引くスキップ数を決定するスキップ数決定工程と、上記スキップ数決定工程により決定されたスキップ数に基づいて、上記記録媒体に記録された撮影画像を間引いて読み出す読出工程と、１画面に、上記読出工程により読み出された複数の撮影画像を行列表示する表示工程と、を有することを特徴とする。
【００１５】
請求項９記載の発明は、記録媒体に記録された撮影画像の表示制御方法であって、上記記録媒体に記録されている撮影画像の総数に基づいて、１画面を分割する行列数を決定する行列数決定工程と、上記記録媒体に記録された撮影画像を間引いて読み出す読出工程と、上記読出工程により読み出された複数の撮影画像を、上記行列数決定工程によって決定された行列数に分割された表示画面に行列表示する表示工程と、を有することを特徴とする。
【００１６】
請求項１０記載の発明は、記録媒体に記録された撮影画像を表示する表示装置に内蔵されたコンピュータが実行するプログラムであって、撮影画像を間引くスキップ数を決定するスキップ数決定ステップと、上記スキップ数決定ステップにより決定されたスキップ数に基づいて、上記記録媒体に記録された撮影画像を間引いて読み出す読出ステップと、１画面に、上記読出ステップにより読み出された複数の撮影画像を行列表示する表示ステップと、をコンピュータに実行させることを特徴とする。
【００１７】
請求項１１記載の発明は、記録媒体に記録された撮影画像を表示する表示装置に内蔵されたコンピュータが実行するプログラムであって、上記記録媒体に記録されている撮影画像の総数に基づいて、１画面を分割する行列数を決定する行列数決定ステップと、上記記録媒体に記録された撮影画像を間引いて読み出す読出ステップと、上記読出ステップにより読み出された複数の撮影画像を、上記行列数決定ステップによって決定された行列数に分割された表示画面に行列表示する表示ステップと、をコンピュータに実行させることを特徴とする。
【発明の効果】
【００１８】
請求項１記載の発明によれば、記録媒体から撮影画像を間引いて読み出して、行列表示するため、多数の撮影画像を短時間で確認することが可能となる。
【００１９】
請求項２記載の発明によれば、上記請求項１記載の発明の効果に加えて、ユーザが望むスキップ数で間引いた表示が可能となる。
【００２０】
請求項３記載の発明によれば、上記請求項１記載の発明の効果に加えて、記録媒体に記録されている撮影画像の総数に基づいて自動的に間引き数が決定されるので、より使い勝手を向上できる。
【００２１】
請求項４記載の発明によれば、上記請求項１記載の発明の効果に加えて、記録媒体に記録されている撮影画像の総数に応じて、行列表示の行列数及び／又は間引き数が可変されるので、撮影画像の総数に依らずユーザの操作数を一定にできる。
【００２２】
請求項５記載の発明によれば、記録媒体に記録されている撮影画像の総数に基づいて行列表示の行列数を可変するので、多数の撮影画像を短時間で確認することが可能となる。
【００２３】
請求項６記載の発明によれば、上記請求項５記載の発明の効果に加えて、記録媒体に記録されている撮影画像の総数に応じて、行列表示の行列数及び／又は間引き数が可変されるので、撮影画像の総数に依らずユーザの操作数を一定にできる。
【００２４】
請求項７記載の発明によれば、多数の撮影画像を短時間で確認することが可能な撮影装置を提供できる。
【００２５】
請求項８記載の発明によれば、記録媒体から撮影画像を間引いて読み出して、行列表示するため、多数の撮影画像を短時間で確認することが可能となる。
【００２６】
請求項９記載の発明によれば、記録媒体に記録されている撮影画像の総数に基づいて行列表示の行列数を可変するので、多数の撮影画像を短時間で確認することが可能となる。
【００２７】
請求項１０記載の発明によれば、記録媒体から撮影画像を間引いて読み出して、行列表示するため、多数の撮影画像を短時間で確認することが可能となる。
【００２８】
請求項１１記載の発明によれば、記録媒体に記録されている撮影画像の総数に基づいて行列表示の行列数を可変するので、多数の撮影画像を短時間で確認することが可能となる。
【図面の簡単な説明】
【００２９】
【図１】図１は、本発明の第１実施形態の適用されたデジタルカメラの電子回路の機能構成を示すブロック図である。
【図２】図２は、通常のデジタルカメラにおけるマルチ画面表示を説明するための図である。
【図３】図３は、第１実施形態の適用されたデジタルカメラにおけるマルチ画面表示の動作フローチャートを示す図である。
【図４】図４は、１枚スキップする間引き読み出しを行った際のマルチ画面表示を説明するための図である。
【図５】図５は、２枚スキップする間引き読み出しを行った際のマルチ画面表示を説明するための図である。
【図６】図６は、本発明の第２実施形態の適用されたデジタルカメラにおけるマルチ画面表示の動作フローチャートを示す図である。
【図７】図７は、第２実施形態の変形例の適用されたデジタルカメラにおけるマルチ画面表示の動作フローチャートを示す図である。
【図８】図８は、本発明の第３実施形態の適用されたデジタルカメラにおけるマルチ画面表示の動作フローチャートを示す図である。
【図９】図９は、本発明の第４実施形態の適用されたデジタルカメラにおけるマルチ画面表示の動作フローチャートを示す図である。
【図１０】図１０は、第４実施形態におけるマルチ画面表示の例を示す図である。
【図１１】図１１は、本発明の第５実施形態の適用されたデジタルカメラにおけるマルチ画面表示の動作フローチャートを示す図である。
【図１２】図１２は、第５実施形態におけるマルチ画面表示の例を示す図である。
【発明を実施するための形態】
【００３０】
［第１実施形態］
（第１実施形態の構成）
以下、本発明をデジタルカメラに適用した場合の第１実施形態について図面を参照して説明する。
【００３１】
図１は、このデジタルカメラ１０内の電子回路の機能構成について示すものである。
【００３２】
基本モードである撮影モードでのモニタリング（スルー画像表示）状態においては、モータドライバ１１によるモータ１２の駆動により合焦位置や絞り位置が移動される、撮影レンズを含むレンズブロック１３の撮影光軸後方に配置された撮像素子であるＣＣＤ１４が、タイミング発生器（ＴＧ）１５、垂直／水平ドライバ１６によって走査駆動され、一定周期毎に結像した光像に対応する光電変換出力を１画面分出力する。
【００３３】
この光電変換出力は、ＣＤＳ／ＡＤ回路１７において、アナログ値の信号の状態でＲＧＢの各原色成分毎に適宜ゲイン調整された後に、サンプルホールドされ、デジタルデータに変換され、その後、画像処理回路１８で画素補間処理及びγ補正処理を含むカラープロセス処理が行なわれて、デジタル値の輝度信号Ｙ及び色差信号Ｃｂ，Ｃｒ（ＹＵＶ信号）が生成される。そして、それら生成された輝度及び色差信号は、内部バス１９を介して、バッファメモリとして使用されるＳＤＲＡＭ２０に書き込まれる。
【００３４】
なお、上記ＴＧ１５や画像処理回路１８は、ＣＰＵ２１によって制御されるもので、このＣＰＵ２１で実行される動作プログラムや各種パラメータは、フラッシュメモリ２２に不揮発性に記憶されている。
【００３５】
また、上記画像処理回路１８は、上記生成した輝度及び色差信号（ＹＵＶ信号）を元にビデオ信号を発生して、バックライト（ＢＬ）２３で照明されたＬＣＤ２４に供給する。このＬＣＤ２４は、画像の撮影モード時にはモニタ表示部（電子ファインダ）として機能するもので、上記画像処理回路１８からのビデオ信号に基づいた表示を行なうことで、その時点で撮像素子である上記ＣＣＤ１４が取り込んでいる画像情報に基づく画像をリアルタイムに表示（スルー画像表示）することとなる。
【００３６】
このようにＬＣＤ２４にその時点での撮影可能なスルー画像がリアルタイムに表示されている状態で、静止画撮影を行ないたいタイミングでＫＥＹブロック２５の一部を構成するシャッタキーを操作すると、トリガ信号を発生する。マイコン２６は、このトリガ信号に応じて、ＣＰＵ２１に、その時点でＣＣＤ１４から取り込んでいる１画面分の輝度及び色差信号のＳＤＲＡＭ２０への書き込みを取り止めさせ、あらためて適正な露出条件に従った絞り値及びシャッタ速度でＣＣＤ１４を走査駆動して１画面分の輝度及び色差信号を得てＳＤＲＡＭ２０へ書き込ませ、その後にこの経路を停止し、記録保存の状態に遷移させるようにする。
【００３７】
この記録保存の状態では、ＣＰＵ２１の制御により、画像処理回路１８が内部バス１９を介して、ＳＤＲＡＭ２０に書き込まれている１フレーム分の輝度及び色差信号をＹ，Ｃｂ，Ｃｒの各コンポーネント毎に縦８画素×横８画素の基本ブロックと呼称される単位で読み出して、ＪＰＥＧデータに圧縮する。即ち、ＡＤＣＴ（適応離散コサイン変換）、エントロピ符号化方式であるハフマン符号化、等の処理により、データ圧縮する。そして、得られたＪＰＥＧデータを１撮影画像のデータファイルとして、内部バス１９を介して、このデジタルカメラ１０の記録媒体として着脱自在に装着される外部メモリ２７に書き込む。この外部メモリ２７は、例えば、内部に不揮発性メモリであるフラッシュメモリを封入したカード状の媒体である。
【００３８】
そして、１フレーム分の輝度及び色差信号の圧縮処理と外部メモリ２７への全圧縮データ（ＪＰＥＧデータ）の書き込み終了に伴なって、ＣＰＵ２１は、上記ＣＣＤ１４からＳＤＲＡＭ２０への経路を再び起動する。
【００３９】
なお、上記ＫＥＹブロック２５のシャッタキー操作に応じて適正な露出条件に従った絞り値及びシャッタ速度で撮影を行う場合、必要な光量が得られないときには、上記ＴＧ１５により、その撮影タイミングに同期した撮影補助光をストロボ２８に発生させる。
【００４０】
また、上記マイコン２６には、上記ＫＥＹブロック２５に加えて、バッテリ２９と電源回路３０とが接続されている。ここで、上記ＫＥＹブロック２５は、上述したシャッタキーの他に、電源キー、撮影モードキー、再生モードキー、マクロキー、ストロボキー、メニュー（ＭＥＮＵ）キー、十字キー、及びセット（ＳＥＴ）キー等から構成され、それらのキー操作に伴なう信号は直接マイコン２６へ送出される。バッテリ２９は、電池又は充電池であり、常時上記マイコン２６を動作させるための電力を供給する。電源回路３０は、上記ＫＥＹブロック２５の電源キー操作に応じたマイコン２６からの指示により、上記バッテリ２９の電力から当該デジタルカメラ１０の各部の駆動に必要な各種電圧を生成して、各部に印加するものである。
【００４１】
また、このデジタルカメラ１０は、マイクロホン（ＭＩＣ）３１とスピーカ（ＳＰ）３２を有しており、その制御のための音声チップ３３が上記ＣＰＵ２１に接続されている。即ち、本実施形態に係るデジタルカメラ１０では、上記通常の撮影モードとは別に、上記ＫＥＹブロック２５の撮影モードキーの操作により動画像の撮影も可能に構成されているものである。この動画像の撮影時においては、ＫＥＹブロック２５のシャッタキーが１回目に操作されてから、上述した静止画像データの外部メモリ２７への記録を時間的に連続して実行すると共に、上記ＭＩＣ３１で収集した音声を音声チップ３３により所定の圧縮方式で圧縮した音声データとして、上記外部メモリ２７へ記録していき、上記シャッタキーの２回目の操作がなされるか、または所定の制限時間、例えば３０秒が経過した時点で、外部メモリ２７に記録されている一連の静止画データ及び音声データをモーションＪＰＥＧの動画データファイル（ＡＶＩファイル）として記録設定し直す。
【００４２】
一方、このデジタルカメラ１０においては、再生モード時には、ＣＰＵ２１の制御により、内部バス１９を介して画像処理回路１８が上記外部メモリ２７に記録されている撮影画像データを選択的に読み出して、上記撮影モード時にデータ圧縮した手順と全く逆の手順で圧縮されている画像データを伸長し、その伸長した画像データをＲＧＢ信号に変換して、ＬＣＤ２４に表示する。
【００４３】
なお、選択した撮影画像データが静止画像ではなく動画像であった場合には、選択した動画像データのファイルを構成する個々の静止画像データの再生を時間的に連続して実行すると共に、音声チップ３３により音声をＳＰ３２に再生出力していく。そして、すべての静止画像データの再生を終了した時点で、次に再生の指示がなされるまでその動画像データの先頭に位置する静止画像データのみを用いて再生表示する（このとき、音声は再生出力されない）。
【００４４】
（第１実施形態の動作）
次に、上記のような構成のデジタルカメラ１０の動作について説明する。
【００４５】
ＬＣＤ２４の表示画面を行列状に複数に分割して、各分割画面に異なる撮影画像データを縮小表示する所謂マルチ画面表示を行う場合、通常のデジタルカメラにおいては、図２に示すように、外部メモリ２７に記録された複数の撮影画像データをその分割（この図では４分割）数毎に順次読み出して、表示を行う。
【００４６】
これに対して、本実施形態に係るデジタルカメラ１０では、ＫＥＹブロック２５のメニュー操作などによってマルチ画面表示が指示された場合、その指示内容がマイコン２６からＣＰＵ２１に伝達され、ＣＰＵ２１は、図３の動作フローチャートに示すように、画像処理回路１８に、所定枚数をスキップして外部メモリ２７より撮影画像データを読み出して、ＬＣＤ２４にマルチ画面表示するよう制御する（ステップＳ１１）。
【００４７】
この場合、所定枚数は、当該デジタルカメラ１０で予め決められているもので、その数がフラッシュメモリ２２に記憶されている。
【００４８】
例えば、１枚スキップする間引き読み出しを行うよう構成されたデジタルカメラ１０では、図４に示すように、ＬＣＤ２４には、１ページ目として１，３，５，及び７枚目の撮影画像データがマルチ画面表示される。そして、ＫＥＹブロック２５の所定のページ送りキー操作がなされると、次のページとして、ＬＣＤ２４には、９，１１，１３，及び１５枚目の撮影画像データがマルチ画面表示される。このように、所定のページ送りキー操作に応じて、順次１枚スキップで間引き読み出しが行われて、マルチ画面表示される。
【００４９】
また、２枚スキップする間引き読み出しを行うよう構成されたデジタルカメラ１０では、図５に示すように、ＬＣＤ２４には、１ページ目として１，４，７，及び１０枚目の撮影画像データがマルチ画面表示される。そして、ＫＥＹブロック２５の所定のページ送りキー操作がなされると、次のページとして、ＬＣＤ２４には、１３，１６，１９，及び２２枚目の撮影画像データがマルチ画面表示される。
【００５０】
このようにして、外部メモリ２７に記録された多数の撮影画像を短時間で確認することが可能となる。例えば、３日間の旅行で８０枚の画像を撮影した場合、４分割のマルチ画面表示では、８０／４であるから２０ページを見ないと３日分を振り返れないが、２枚おきの間引き読み出しでは（８０／２）／４であるので１０ページ、３枚おきでは（８０／３）／４であるので７ページ、４枚おきでは（８０／４）／４であるので５ページを見れば済む。
【００５１】
（第１実施形態の変形例）
なお、図４や図５のような間引き読み出しを行うマルチ画面表示と、図２のような間引きを行わないマルチ画面表示とを、ＫＥＹブロック２５の所定のキー操作により切り替えられるように構成しても良い。
【００５２】
［第２実施形態］
上記第１実施形態では、外部メモリ２７から撮影画像データを間引き読み出しする際のスキップ数が固定であったが、本実施形態は、そのスキップ数をユーザが任意に設定できるようにしたものである。
【００５３】
（第２実施形態の構成）
本実施形態の構成は、上記第１実施形態と同様であるので、その図示及び説明は省略する。
【００５４】
（第２実施形態の動作）
本実施形態においては、図６に示すように、ＫＥＹブロック２５のメニュー操作などで、スキップする枚数を予めユーザが任意に設定しておく（ステップＳ２１）。この任意に設定された所定枚数は、例えばフラッシュメモリ２２に記録しておく。そして、ＫＥＹブロック２５のメニュー操作などによってマルチ画面表示が指示されると（ステップＳ２２）、画像処理回路１８は、その設定された所定枚数に従って、その枚数をスキップして外部メモリ２７より撮影画像データを読み出し、ＬＣＤ２４にマルチ画面表示する（ステップＳ２３）。
【００５５】
このようにして、ユーザが望むスキップ数で間引いたマルチ画面表示が可能となる。
【００５６】
（第２実施形態の変形例）
なお、スキップする枚数を予め設定しておくのではなく、図２に示したような通常のマルチ画面表示中に、任意にスキップ数を変更できるように構成しても良い。即ち、図７に示すように、ＫＥＹブロック２５のメニュー操作などでに応じてマルチ画面表示を行っている最中に（ステップＳ３１）、ＫＥＹブロック２５の所定のキー操作によりスキップする枚数の設定が指示されると（ステップＳ３２）、画像処理回路１８は、その設定指示された所定枚数に従って、その枚数をスキップして外部メモリ２７より撮影画像データを読み出し、ＬＣＤ２４にマルチ画面表示する（ステップＳ３３）。
【００５７】
［第３実施形態］
外部メモリ２７から撮影画像データを間引き読み出しする際のスキップ数が、上記第１実施形態では固定、上記第２実施形態ではユーザが任意に設定するものであったが、本実施形態は、そのスキップ数を外部メモリ２７に記録されている撮影画像データの総数に基づいて自動的に設定するようにしたものである。
【００５８】
（第３実施形態の構成）
本実施形態の構成は、上記第１実施形態と同様であるので、その図示及び説明は省略する。
【００５９】
（第３実施形態の動作）
本実施形態においては、図８に示すように、ＫＥＹブロック２５のメニュー操作などで、マルチ画面表示が指示されると、ＣＰＵ２１は、外部メモリ２７に記録されている撮影画像データの総数が２０枚以下であるか否かを判別し（ステップＳ４１）、そうであれば、画像処理回路１８を、全撮影画像データをマルチ画面表示するよう制御する（ステップＳ４２）。これにより、画像処理回路１８は、図２に示すようなマルチ画面表示を行うことになる。
【００６０】
また、外部メモリ２７に記録されている撮影画像データの総数が２０枚以下でない場合には、ＣＰＵ２１は、更に、撮影画像データの総数が４０枚以下であるか否かを判別し（ステップＳ４３）、そうであれば、画像処理回路１８を、１枚スキップでマルチ画面表示するよう制御する（ステップＳ４４）。これにより、画像処理回路１８は、図４に示すようなマルチ画面表示を行うことになる。
【００６１】
また、外部メモリ２７に記録されている撮影画像データの総数が４０枚以下でない場合には、ＣＰＵ２１は、撮影画像データの総数が６０枚以下であるか否かを判別し（ステップＳ４５）、そうであれば、画像処理回路１８を、２枚スキップでマルチ画面表示するよう制御する（ステップＳ４６）。これにより、画像処理回路１８は、図５に示すようなマルチ画面表示を行うことになる。
【００６２】
上記どの場合でも、マルチ画面を５ページ分見れば、おおまかに全体を確認することが可能となる。
【００６３】
このように、記録媒体である外部メモリ２７に記録されている撮影画像データの総数に基づいて、自動的に読み出しの間引き数を決定するので、より使い勝手を向上できる。
【００６４】
（第３実施形態の変形例）
なお、図８では、外部メモリ２７に記録されている撮影画像データの総数が４０枚以下でない場合には、更に総数を判別してスキップ数を決定していくようなフローチャートとしたが、例えばこのステップＳ４５の判別で、ＮＯとなった場合にもそれ以上スキップ数を増やさず、ステップＳ４６に進んで、２枚スキップでマルチ画面表示するように構成しても良い。
【００６５】
［第４実施形態］
上記第３実施形態では、記録媒体である外部メモリ２７に記録されている撮影画像データの総数に基づいて間引き読み出しする際のスキップ数を変更しているが、本実施形態は、間引きせずに全て読み出して表示するのであるが、その画面の分割数、つまり１ページに同時に表示する枚数を変更するようにしたものである。
【００６６】
（第４実施形態の構成）
本実施形態の構成は、上記第１実施形態と同様であるので、その図示及び説明は省略する。
【００６７】
（第４実施形態の動作）
本実施形態においては、図９に示すように、ＫＥＹブロック２５のメニュー操作などで、マルチ画面表示が指示されると、ＣＰＵ２１は、外部メモリ２７に記録されている撮影画像データの総数が２０枚以下であるか否かを判別し（ステップＳ５１）、そうであれば、画像処理回路１８を、４画面のマルチ画面表示するよう制御する（ステップＳ５２）。これにより、画像処理回路１８は、図１０（Ａ）に示すように、ＬＣＤ２４の表示画面を４分割したマルチ画面表示を行うことになる。
【００６８】
また、外部メモリ２７に記録されている撮影画像データの総数が２０枚以下でない場合には、ＣＰＵ２１は、更に、撮影画像データの総数が４５枚以下であるか否かを判別し（ステップＳ５３）、そうであれば、画像処理回路１８を、９画面のマルチ画面表示するよう制御する（ステップＳ５４）。これにより、画像処理回路１８は、図１０（Ｂ）に示すように、９分割したマルチ画面表示を行うことになる。
【００６９】
また、外部メモリ２７に記録されている撮影画像データの総数が４５枚以下でない場合には、ＣＰＵ２１は、撮影画像データの総数が８０枚以下であるか否かを判別し（ステップＳ５５）、そうであれば、画像処理回路１８を、１６画面のマルチ画面表示するよう制御する（ステップＳ５６）。これにより、画像処理回路１８は、図１０（Ｃ）に示すように、１６分割したマルチ画面表示を行うことになる。
【００７０】
上記どの場合でも、マルチ画面を５ページ分見れば、おおまかに全体を確認することが可能となる。
【００７１】
このように、記録媒体である外部メモリ２７に記録されている撮影画像データの総数に基づいて、分割数つまり行列表示の行列数を可変するので、多数の撮影画像データを短時間で確認することが可能となる。
【００７２】
（第４実施形態の変形例）
なお、図９では、外部メモリ２７に記録されている撮影画像データの総数が８０枚以下でない場合には、更に総数を判別して画面分割数を決定していくようなフローチャートとしたが、例えばこのステップＳ５５の判別で、ＮＯとなった場合にもそれ以上画面分割数を増やさず、ステップＳ５６に進んで、１６画面のマルチ画面表示するように構成しても良い。
【００７３】
［第５実施形態］
本実施形態は、上記第３実施形態と上記第４実施形態とを組み合わせ、記録媒体である外部メモリ２７に記録されている撮影画像データの総数に基づいて、間引き読み出しする際のスキップ数と画面の分割数とを自動変更するようにしたものである。
【００７４】
（第５実施形態の構成）
本実施形態の構成は、上記第１実施形態と同様であるので、その図示及び説明は省略する。
【００７５】
（第５実施形態の動作）
本実施形態においては、図１１に示すように、ＫＥＹブロック２５のメニュー操作などで、マルチ画面表示が指示されると、ＣＰＵ２１は、外部メモリ２７に記録されている撮影画像データの総数が２０枚以下であるか否かを判別し（ステップＳ６１）、そうであれば、画像処理回路１８を、外部メモリ２７に記録されている全撮影画像データを４画面のマルチ画面表示するよう制御する（ステップＳ６２）。これにより、画像処理回路１８は、図１２（Ａ）に示すようなマルチ画面表示を行うことになる。
【００７６】
また、外部メモリ２７に記録されている撮影画像データの総数が２０枚以下でない場合には、ＣＰＵ２１は、更に、撮影画像データの総数が４０枚以下であるか否かを判別し（ステップＳ６３）、そうであれば、画像処理回路１８を、１枚スキップで４画面のマルチ画面表示するよう制御する（ステップＳ６４）。これにより、画像処理回路１８は、図１２（Ｂ）に示すように、撮影画像データを１枚ずつ間引いて読み出して、４分割のマルチ画面で表示することになる。
【００７７】
また、外部メモリ２７に記録されている撮影画像データの総数が４０枚以下でない場合には、ＣＰＵ２１は、更に、撮影画像データの総数が４５枚以下であるか否かを判別し（ステップＳ６５）、そうであれば、画像処理回路１８を、全撮影画像データを９画面のマルチ画面表示するよう制御する（ステップＳ６６）。これにより、画像処理回路１８は、図１２（Ｃ）に示すように、９分割したマルチ画面表示を行うことになる。
【００７８】
また、外部メモリ２７に記録されている撮影画像データの総数が４５枚以下でない場合には、ＣＰＵ２１は、撮影画像データの総数が９０枚以下であるか否かを判別し（ステップＳ６７）、そうであれば、画像処理回路１８を、１枚スキップで９画面のマルチ画面表示するよう制御する（ステップＳ６８）。これにより、画像処理回路１８は、図１２（Ｄ）に示すように、撮影画像データを１枚ずつ間引いて読み出して、９分割のマルチ画面で表示することになる。
【００７９】
上記のように、画面分割数とスキップ枚数を組み合わせることによって、おおまかに全体を確認する場合においては、確認作業を簡単に行うことができる。
【００８０】
即ち、記録媒体である外部メモリ２７に記録されている撮影画像データの総数に基づいて、読み出しの間引き数及び／又は分割数つまり行列表示の行列数を可変するので、多数の撮影画像データを短時間で確認することが可能となり、また、撮影画像の総数に依らずユーザの操作数を一定にできる。
【００８１】
（第５実施形態の変形例）
なお、図１１では、外部メモリ２７に記録されている撮影画像データの総数が８０枚以下でない場合には、更に総数を判別して間引き数及び／又は画面分割数を決定していくようなフローチャートとしたが、例えばこのステップＳ６７の判別で、ＮＯとなった場合にもそれ以上間引き数及び／又は画面分割数を変更せず、ステップＳ６８に進んで、１枚スキップで９画面のマルチ画面表示するように構成しても良い。
【００８２】
（第１乃至第５実施形態の変形例）
なお、上記第１乃至第５実施形態は何れも、デジタルカメラに適用した場合について説明したが、本発明はこれに限らず、カメラ付き携帯電話機、カメラ付きＰＤＡ（Personal Digital Assistants：個人向け情報携帯端末）、カメラ付きハンディターミナル、カメラ付きパーソナルコンピュータ、ビデオムービーカメラ等、各種カメラ機能を有する電子機器や、その表示制御方法、及び動作プログラムとして容易に適応可能となることは勿論である。
【００８３】
その他、本発明は上記実施形態に限らず、その要旨を逸脱しない範囲内で種々変形して実施することが可能であるものとする。
【００８４】
さらに、上記実施形態には種々の段階の発明が含まれており、開示される複数の構成要件における適宜な組み合わせにより種々の発明が抽出され得る。例えば、実施形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【符号の説明】
【００８５】
１０…デジタルカメラ、  １１…モータドライバ、  １２…モータ、  １３…レンズブロック、  １４…ＣＣＤ、  １５…タイミング発生器（ＴＧ）、  １６…垂直／水平ドライバ、  １７…ＣＤＳ／ＡＤ回路、  １８…画像処理回路、  １９…内部バス、  ２０…ＳＤＲＡＭ、  ２１…ＣＰＵ、  ２２…フラッシュメモリ、  ２３…バックライト（ＢＬ）、  ２４…ＬＣＤ、  ２５…ＫＥＹブロック、  ２６…マイコン、  ２７…外部メモリ、  ２８…ストロボ、  ２９…バッテリ、  ３０…電源回路、  ３１…マイクロホン（ＭＩＣ）、  ３２…スピーカ（ＳＰ）、  ３３…音声チップ。
【図１】
2010035190.tif 000003
【図２】
2010035190.tif 000004
【図３】
2010035190.tif 000005
【図４】
2010035190.tif 000006
【図５】
2010035190.tif 000007
【図６】
2010035190.tif 000008
【図７】
2010035190.tif 000009
【図８】
2010035190.tif 000010
【図９】
2010035190.tif 000011
【図１０】
2010035190.tif 000012
【図１１】
2010035190.tif 000013
【図１２】
2010035190.tif 000014
【手続補正書】
【提出日】平成21年10月5日(2009.10.5)
【手続補正２】
【補正対象書類名】明細書
【補正対象項目名】０００１
【補正方法】変更
【補正の内容】
【０００１】
本発明は、画像を表示する表示装置、表示制御方法及びプログラムに関する。
【手続補正３】
【補正対象書類名】明細書
【補正対象項目名】０００６
【補正方法】変更
【補正の内容】
【０００６】
本発明は上記のような実情に鑑みてなされたもので、その目的とするところは、多数の画像を短時間で確認することが可能な表示装置、表示制御方法及びプログラムを提供することにある。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
請求項１記載の発明は、画像を複数記録した記録媒体と、上記記録媒体に記録されている画像の総数に基づいて、表示画面を分割する際の行列数を決定する行列数決定手段と、上記行列数決定手段によって決定された行列数に基づいて、上記表示画面を分割する分割手段と、上記記録媒体に複数記録された画像を読み出す読み出し手段と、上記読み出し手段により読み出された複数の画像を上記分割手段によって分割された各表示画面に表示する表示手段と、を備えることを特徴とする。
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】変更
【補正の内容】
【００１５】
請求項２記載の発明は、記録媒体に記録された画像の表示制御方法であって、上記記録媒体に記録されている画像の総数に基づいて、表示画面を分割する行列数を決定する行列数決定ステップと、上記行列数決定ステップによって決定された行列数に基づいて、上記表示画面を分割する分割ステップと、上記記録媒体に複数記録された画像を読み出す読み出しステップと、上記読み出しステップにより読み出された複数の画像を上記分割手段によって分割された各表示画面に表示する表示ステップと、を含むことを特徴とする。
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】変更
【補正の内容】
【００１７】
請求項３記載の発明は、画像を記録した記録部と表示部とを備えた電子機器が有するコンピュータを、上記記録媒体に記録されている画像の総数に基づいて、表示すべき表示画面を分割する行列数を決定する行列数決定手段、上記行列数決定手段によって決定された行列数に基づいて、上記表示画面を分割する分割手段、上記記録媒体に複数記録された画像を読み出す読み出し手段、上記読み出し手段により読み出された複数の画像を上記分割手段によって分割された各表示画面に表示させる表示制御手段、として機能させることを特徴とする。
【手続補正１５】
【補正対象書類名】明細書
【補正対象項目名】００１８
【補正方法】変更
【補正の内容】
【００１８】
本発明によれば、記録媒体に記録されている画像の総数に基づいて分割表示の際の行列数を決定するので、多数の画像の確認をし易くすることが可能となる。
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】特許請求の範囲
【補正対象項目名】全文
【補正方法】変更
【補正の内容】
【特許請求の範囲】
【請求項１】
画像を複数記録した記録媒体と、
上記記録媒体に記録されている画像の総数に基づいて、表示画面を分割する際の行列数を決定する行列数決定手段と、
上記行列数決定手段によって決定された行列数に基づいて、上記表示画面を分割する分割手段と、
上記記録媒体に複数記録された画像を読み出す読み出し手段と、
上記読み出し手段により読み出された複数の画像を上記分割手段によって分割された各表示画面に表示する表示手段と、
を備えることを特徴とする表示装置。
【請求項２】
記録媒体に記録された画像の表示制御方法であって、
上記記録媒体に記録されている画像の総数に基づいて、表示画面を分割する行列数を決定する行列数決定ステップと、
上記行列数決定ステップによって決定された行列数に基づいて、上記表示画面を分割する分割ステップと、
上記記録媒体に複数記録された画像を読み出す読み出しステップと、
上記読み出しステップにより読み出された複数の画像を上記分割手段によって分割された各表示画面に表示する表示ステップと、
を含むことを特徴とする表示制御方法。
【請求項３】
画像を記録した記録部と表示部とを備えた電子機器が有するコンピュータを、
上記記録媒体に記録されている画像の総数に基づいて、表示すべき表示画面を分割する行列数を決定する行列数決定手段、
上記行列数決定手段によって決定された行列数に基づいて、上記表示画面を分割する分割手段、
上記記録媒体に複数記録された画像を読み出す読み出し手段、
上記読み出し手段により読み出された複数の画像を上記分割手段によって分割された各表示画面に表示させる表示制御手段、
として機能させることを特徴とするプログラム。